(57)【要約】【課題】  本発明は、眼鏡フレームにおいてパッドをリムに取り付けるための眼鏡用蝶足およびこの眼鏡用蝶足を備えた眼鏡フレームに関し、蝶足の一端のリムへのろう付け強度を低下することなく、パッドの位置を容易，確実に調整することを目的とする。【解決手段】  一本の線材の一端側にリムへのリム側取付部を形成し、他端側にパッドへのパッド側取付部を形成するとともに、前記リム側取付部とパッド側取付部とを前記パッドの位置を調整するためのパッド位置調整部を介して連続してなる眼鏡用蝶足において、前記パッド位置調整部およびパッド側取付部の前記線材の横断面積を、前記リム側取付部の端部に形成されるろう付け部の前記線材の横断面積より小さくしてなることを特徴とする。【選択図】      図１
2005122064.tif 000002
【特許請求の範囲】
【請求項１】
一本の線材の一端側にリムへのリム側取付部を形成し、他端側にパッドへのパッド側取付部を形成するとともに、前記リム側取付部とパッド側取付部とを前記パッドの位置を調整するためのパッド位置調整部を介して連続してなる眼鏡用蝶足において、
前記パッド位置調整部およびパッド側取付部の前記線材の横断面積を、前記リム側取付部の端部に形成されるろう付け部の前記線材の横断面積より小さくしてなることを特徴とする眼鏡用蝶足。
【請求項２】
請求項１記載の眼鏡用蝶足において、
前記リム側取付部の前記パッド位置調整部側の前記線材の横断面積を、前記パッド位置調整部に向けて徐々に小さくしてなることを特徴とする眼鏡用蝶足。
【請求項３】
請求項１または請求項２記載の眼鏡用蝶足において、
前記リム側取付部および前記パッド側取付部は、眼鏡の略上下方向に延在して形成され、前記パッド位置調整部は、折曲部を介して眼鏡の略水平方向に延在して形成されていることを特徴とする眼鏡用蝶足。
【請求項４】
請求項１ないし請求項３のいずれか１項記載の眼鏡用蝶足において、
前記パッド位置調整部は、前記線材を半円状に折曲して形成されていることを特徴とする眼鏡用蝶足。
【請求項５】
一対の眼鏡レンズと、一対のテンプルと、前記一対の眼鏡レンズを連結するブリッジとを有し、請求項１ないし請求項４のいずれか１項記載の眼鏡用蝶足を備えてなることを特徴とする眼鏡フレーム。
【発明の詳細な説明】
【技術分野】
【０００１】
本発明は、眼鏡フレームにおいて鼻宛てのパッドをリムに取り付けるための眼鏡用蝶足およびこの眼鏡用蝶足を備えた眼鏡フレームに関する。
【背景技術】
【０００２】
一般に、眼鏡フレームの顔への装用は、２本のテンプルの先端付近を耳に掛けるとともに、２つの鼻あてのパッドを鼻の両側に当てることにより行われる。
鼻あては、例えば、実開平６−６８０２６号公報に開示されるように、パッドと蝶足とから構成されており、蝶足によりパッドが眼鏡フレームのリムに取り付けられる。
蝶足は、一般に、金属の線材で作られ、その一端がリムにろう付けされている。そして、蝶足に形成されるパッド位置調整部の線材を曲げ，伸ばしあるいは捩ることによりパッドの位置が調整される。
【特許文献１】実開平６−６８０２６号公報
【発明の開示】
【発明が解決しようとする課題】
【０００３】
蝶足の一端をリムに強固にろう付けするためには、線材の線径を所定の太さ以上とすることが必要であり、さらに蝶足はパッド位置調整のために容易に変形出来ることが要求される。従来は、強固にろう付けするために、線材の直径を１．１ｍｍあるいは１．２ｍｍとし、リムにろう付けされる部分からパッド位置調整部及びパッドを取り付ける部分まで同一の線径を有する線材を使用していた。
【０００４】
本発明は、蝶足の一端のリムへのろう付け強度を低下することなく、パッドの位置を容易，確実に調整することができる眼鏡用蝶足および眼鏡フレームを提供することを目的とする。
【課題を解決するための手段】
【０００５】
請求項１の眼鏡用蝶足は、一本の線材の一端側にリムへのリム側取付部を形成し、他端側にパッドへのパッド側取付部を形成するとともに、前記リム側取付部とパッド側取付部とを前記パッドの位置を調整するためのパッド位置調整部を介して連続してなる眼鏡用蝶足において、前記パッド位置調整部およびパッド側取付部の前記線材の横断面積を、前記リム側取付部の端部に形成されるろう付け部の前記線材の横断面積より小さくしてなることを特徴とする。
【０００６】
請求項２の眼鏡用蝶足は、請求項１記載の眼鏡用蝶足において、前記リム側取付部の前記パッド位置調整部側の前記線材の横断面積を、前記パッド位置調整部に向けて徐々に小さくしてなることを特徴とする。
請求項３の眼鏡用蝶足は、請求項１または請求項２記載の眼鏡用蝶足において、前記リム側取付部および前記パッド側取付部は、眼鏡の略上下方向に延在して形成され、前記パッド位置調整部は、折曲部を介して眼鏡の略水平方向に延在して形成されていることを特徴とする。
【０００７】
請求項４の眼鏡用蝶足は、請求項１ないし請求項３のいずれか１項記載の眼鏡用蝶足において、前記パッド位置調整部は、前記線材を半円状に折曲して形成されていることを特徴とする。
請求項５の眼鏡フレームは、一対の眼鏡レンズと、一対のテンプルと、前記一対の眼鏡レンズを連結するブリッジとを有し、請求項１ないし請求項４のいずれか１項記載の眼鏡用蝶足を備えてなることを特徴とする。
【発明の効果】
【０００８】
本発明の眼鏡用蝶足および眼鏡フレームでは、パッド位置調整部およびパッド側取付部の横断面積を、リム側取付部の端部に形成されるろう付け部の横断面積より小さくしたので、パッド位置調整部の線材を曲げ，伸ばしあるいは捩ることが比較的容易になり、蝶足の一端のリムへのろう付け強度を低下することなく、パッドの位置を容易，確実に調整することができる。
【発明を実施するための最良の形態】
【０００９】
以下、本発明の実施形態を図面を用いて詳細に説明する。
（第１の実施形態）
図１は、本発明の眼鏡用蝶足の第１の実施形態を示している。
この眼鏡用蝶足は、一本の線材１１を折曲して形成されている。線材１１は、純チタン，合金チタン（βチタンを含む），コバルト合金，ＮＴ合金（超弾性合金），Ｂｅ−Ｃｕ，ステンレス，洋白，モネルを含む銅合金，Ｎｉ−Ｃｒ等の金属からなる。
【００１０】
線材１１の一端側には、リム側取付部１１ａが形成されている。このリム側取付部１１ａの端部には、ろう付け部１１ｂが形成され、このろう付け部１１ｂが眼鏡フレームのリム１３にろう付けされる。
線材１１の他端側には、パッド側取付部１１ｃが形成されている。このパッド側取付部１１ｃの端部は、蝶箱１５にろう付けされる。そして、蝶箱１５を介してパッド１７が取り付けられる。蝶箱１５には、パッド１７の取り付けに使用される螺子穴１５ａが形成されている。
【００１１】
リム側取付部１１ａとパッド側取付部１１ｃとは、パッド１７の位置を調整するためのパッド位置調整部１１ｄを介して連続されている。
この実施形態では、リム側取付部１１ａおよびパッド側取付部１１ｃは、眼鏡フレームの上下方向に延在して形成され、パッド位置調整部１１ｄは、眼鏡フレームの水平方向に延在して形成されている。
【００１２】
そして、この実施形態では、パッド位置調整部１１ｄの横断面積Ｓ１およびパッド側取付部１１ｃの横断面積Ｓ２が、リム側取付部１１ａの端部に形成されるろう付け部１１ｂの横断面積Ｓ３より小さくされている。
この実施形態では、リム側取付部１１ａのパッド位置調整部１１ｄ側の横断面積を、パッド位置調整部１１ｄに向けて徐々に小さくすることにより、パッド位置調整部１１ｄの横断面積Ｓ１およびパッド側取付部１１ｃの横断面積Ｓ２が、リム側取付部１１ａの端部に形成されるろう付け部１１ｂの横断面積Ｓ３より小さくされている。
【００１３】
すなわち、この実施形態では、図２に示すように、リム側取付部１１ａには、ろう付け部１１ｂから傾斜して、ろう付け部１１ｂに作用する応力を緩和するための応力緩和部１１ｅが形成されている。
そして、応力緩和部１１ｅのろう付け部１１ｂ側の線径Ｄ１が、１．４ｍｍとされ、パッド位置調整部１１ｄ側に向けて線径Ｄ１を徐々に小さくすることにより、パッド位置調整部１１ｄの近傍において、線径Ｄ２が１．０ｍｍとされている。そして、パッド位置調整部１１ｄの線径Ｄ３およびパッド側取付部１１ｃの線径Ｄ４が１．０ｍｍとされている。
【００１４】
なお、この実施形態では、線径が１．４ｍｍの線材を、スエージングマシンにより加工することにより、応力緩和部１１ｅの線径が徐々に小さくされ、また、パッド位置調整部１１ｄおよびパッド側取付部１１ｃの線径Ｄ３，Ｄ４が１．０ｍｍとされている。また、線径が１．４ｍｍの線材を、プレスマシンにより加工することにより、図３に示すように、ろう付け部１１ｂが矩形状に変形されている。この矩形状のろう付け部１１ｂの横断面積Ｓ３は、線径が１．４ｍｍの線材の横断面積と略同一の横断面積を有している。
【００１５】
そして、この実施形態では、図４および図５に示すように、パッド位置調整部１１ｄは、線材１１を半円状に折曲して形成されている。このように半円状に折曲することにより、いわゆる複合Ｒで折曲する場合に比較して水平方向への突出長さを小さくすることが可能になる。
図６は、本発明の眼鏡フレームの一実施形態を示している。
【００１６】
この眼鏡フレームでは、左右のリム１３がワタリ１９およびブリッジ２１により連結されている。また、左右のリム１３の外側には、ヨロイ２３および丁番２５を介してテンプル２７が取り付けられている。そして、リム１３の内側には、図１に示した蝶足２９のリム側取付部１１ａがろう付けされている。また、蝶足２９のパッド側取付部１１ｃが蝶箱１５に取り付けられ、さらに蝶箱１５にパッド１７が取り付けられている。
【００１７】
上述した眼鏡用蝶足および眼鏡フレームでは、パッド位置調整部１１ｄおよびパッド側取付部１１ｃの横断面積Ｓ１，Ｓ２を、リム側取付部１１ａの端部に形成されるろう付け部１１ｂの横断面積Ｓ３より小さくしたので、パッド位置調整部１１ｄの線材１１を曲げ，伸ばしあるいは捩ることが比較的容易になり、蝶足の一端のリム１３へのろう付け強度を低下することなく、パッド１７の位置を容易，確実に調整することができる。
【００１８】
そして、従来、パッド位置調整部１１ｄの線材１１の曲げ等を容易にするために、線材の種類によっては線材１１を焼き鈍しすることが行われていたが、このような焼き鈍しが不要になり、コストを低減することができる。
また、上述した眼鏡用蝶足では、リム側取付部１１ａのパッド位置調整部１１ｄ側の線材１１の横断面積を、パッド位置調整部１１ｄに向けて徐々に小さくしたので、急激に変化させる場合に比較して蝶足の全体的な剛性を高めることができる。
【００１９】
さらに、上述した眼鏡用蝶足では、パッド位置調整部１１ｄを、線材１１を半円状に折曲して形成するようにしたので、パッド位置調整部１１ｄの加工が容易になる。また、このように半円状に折曲することにより、いわゆる複合Ｒで折曲する場合に比較して水平方向への突出長さを小さくすることが可能になるため、見栄えを向上することができる。そして、例えば、リムレスフレームの場合には、ブリッジをレンズに固定するビスとパッド位置調整部１１ｄとの干渉を有効に回避することができる。
（第２の実施形態）
図７は、本発明の眼鏡用蝶足の第２の実施形態を示している。
【００２０】
この実施形態では、パッド位置調整部１１Ｄが水平方向に折曲されておらず、上下方向に延在して形成されている。すなわち、リム側取付部１１ａおよびパッド側取付部１１ｃの延長上にパッド位置調整部１１Ｄが形成されている。
なお、この実施形態においては、リム側取付部１１ａおよびパッド側取付部１１ｃの延長上にパッド位置調整部１１Ｄを形成した点を除いて、第１の実施形態と同様であるため、第１の実施形態と同一の部材には、同一の符号を付して詳細な説明を省略する。
【００２１】
この実施形態では、リム側取付部１１ａおよびパッド側取付部１１ｃの延長上にパッド位置調整部１１Ｄを形成したので、パッド位置調整部１１Ｄがレンズ側に突出することがなくなり、見栄えを向上することができる。また、特に、遠近両用のレンズでは、パッド位置調整部１１Ｄがレンズ側に突出するとパッド位置調整部が異物感を与えて邪魔になるが、邪魔になることを解消することができる。
【００２２】
そして、リム側取付部１１ａおよびパッド側取付部１１ｃの延長上にパッド位置調整部１１Ｄを形成する場合には、パッド位置調整部１１Ｄの線材１１を曲げ，伸ばしあるいは捩る等すると、ろう付け部１１ｂに直接大きな力が作用しろう付け部１１ｂが剥離するおそれがあるが、この実施形態では、パッド位置調整部１１Ｄの線材１１の横断面積Ｓ１がろう付け部１１ｂの線材１１の横断面積Ｓ３に比較して小さいので、線材１１を曲げ，伸ばしあるいは捩った時にろう付け部１１ｂに作用する力が小さくなり、ろう付け部１１ｂが剥離するおそれを低減することができる。
【００２３】
なお、上述した実施形態では、パッド側取付部１１ｃの端部を蝶箱１５にろう付けし、蝶箱１５を介してパッド１７を連結した例について説明したが、本発明はかかる実施形態に限定されるものではなく、他の連結構造によりパッド側取付部１１ｃをパッド１７に連結するようにしても良い。
また、上述した実施形態では、パッド位置調整部１１ｄ，１１Ｄとパッド側取付部１１ｃの線径Ｄ３，Ｄ４を同一にした例について説明したが、本発明はかかる実施形態に限定されるものではなく、異ならせても良い。
【００２４】
さらに、上述した実施形態では、リム側取付部１１ａとパッド側取付部１１ｃを同一の方向に延在した例について説明したが、本発明はかかる実施形態に限定されるものではなく、異なる方向に延在するようにしても良い。
また、上述した実施形態では、ろう付け部１１ｂの横断面形状を矩形状にした例について説明したが、本発明はかかる実施形態に限定されるものではなく、円形状，楕円状等であっても良いことは勿論である。
【図面の簡単な説明】
【００２５】
【図１】本発明の眼鏡用蝶足の第１の実施形態を示す斜視図である。
【図２】図１の眼鏡用蝶足を示す正面図である。
【図３】図１の眼鏡用蝶足のろう付け部１１ｂを示す横断面図である。
【図４】図１の眼鏡用蝶足を示す上面図である。
【図５】図１の眼鏡用蝶足を示す側面図である。
【図６】本発明の眼鏡フレームの一実施形態を示す斜視図である。
【図７】本発明の眼鏡用蝶足の第２の実施形態を示す斜視図である。
【符号の説明】
【００２６】
１１  線材
１１ａ  リム側取付部
１１ｂ  ろう付け部
１１ｃ  パッド側取付部
１１ｄ，１１Ｄ  パッド位置調整部
１３  リム
１７  パッド
Ｓ１，Ｓ２，Ｓ３  横断面積
【図１】
2005122064.tif 000003
【図２】
2005122064.tif 000004
【図３】
2005122064.tif 000005
【図４】
2005122064.tif 000006
【図５】
2005122064.tif 000007
【図６】
2005122064.tif 000008
【図７】
2005122064.tif 000009